(57)【要約】    【課題】複数の機能を実行するにあたり必要とされる操作の利便性を向上させる。    【解決手段】居室親機２ａ、２ｂ、・・・の操作部２０３が有する複数の操作ボタン毎に割り当てられる選択項目をショートカットでメモリ２０４にボタン登録、或いは、複数の操作ボタン毎に割り当てられる操作情報の使用頻度を検出してショートカットでメモリ２０４にボタン登録する。  【選択図】図１
2007267320.tif 000002
【特許請求の範囲】
【請求項１】
集合住宅のエントランスに設置されるカメラ（１０１）を備えた集合玄関機（１）と、前記集合住宅の各住戸内にそれぞれ設置され前記集合玄関機からの呼び出しに応答して通話を成立させるためのモニタ（２００）を備えた居室親機（２ａ、２ｂ、・・・）と、前記集合玄関機および前記居室親機をそれぞれ制御して複数の機能を実行するための制御機（４）とを設け、
前記居室親機は、前記複数の機能に対応した選択項目を前記モニタに表示するためのメモリ（２０４）と、前記集合玄関機からの呼び出しに応答するための応答操作、前記メモリに録画された映像を読み出して前記モニタに表示させるための出画操作等の各種操作を行う複数の操作ボタンで構成される操作部（２０３）と、前記操作部の操作を検出し、前記モニタおよび前記メモリをそれぞれ制御して前記複数の操作ボタン毎に割り当てられる選択項目をショートカットで前記メモリにボタン登録するための制御部（２０６）とを備えたことを特徴とする集合住宅インターホンシステム。
【請求項２】
集合住宅のエントランスに設置されるカメラ（１０１）を備えた集合玄関機（１）と、前記集合住宅の各住戸内にそれぞれ設置され前記集合玄関機からの呼び出しに応答して通話を成立させるためのモニタ（２００）を備えた居室親機（２ａ、２ｂ、・・・）と、前記集合玄関機および前記居室親機をそれぞれ制御して複数の機能を実行するための制御機（４）とを設け、
前記居室親機は、前記複数の機能に対応した選択項目を前記モニタに表示するためのメモリ（２０４）と、前記集合玄関機からの呼び出しに応答するための応答操作、前記メモリに録画された映像を読み出して前記モニタに表示させるための出画操作等の各種操作を行う複数の操作ボタンで構成される操作部（２０３）と、前記操作部の操作を検出し、前記モニタおよび前記メモリをそれぞれ制御して前記複数の操作ボタン毎に割り当てられる操作情報の使用頻度を検出してショートカットで前記メモリにボタン登録するための制御部（２０６）とを備えたことを特徴とする集合住宅インターホンシステム。
【発明の詳細な説明】
【技術分野】
【０００１】
本発明は、マンション等の集合住宅に設置される集合住宅インターホンシステムに係り、特に、制御機が集合玄関機および居室親機を制御して複数の機能を実行することができる集合住宅インターホンシステムに関する。
【背景技術】
【０００２】
従来から、複数の機能を実行するにあたり必要とされる機能設定用の設定操作部が、表示手段の画面上に表示可能なタッチパネルで構成されたインターホン装置が開示されている（例えば、特許文献１を参照。）。
【０００３】
このインターホン装置によれば、モード設定手段により画面表示される機能設定用の複数の選択肢を機能選択操作部で選択することにより、他の機能の設定を行うのと同様に宅内呼出しのモード設定を行うことができる。しかも、機能選択操作部がタッチパネルの一部であるから、通常のボタン操作等によって誤って宅内呼出しモードが切り替えられるおそれもない。
【０００４】
【特許文献１】特開２００２−２９０５７４号公報（段落番号「００１０」、「００２５」、「００２６」等、第１図乃至第４図）
【発明の開示】
【発明が解決しようとする課題】
【０００５】
背景技術に記載した特許文献１のインターホン装置によれば、多機能化に伴い複数の機能を実行するにあたり必要とされる操作ボタンが増加してきているにも拘わらず、画面表示される操作ボタンの数に制約があるため、特定の機能を実行する、例えば、管理室（管理室親機）を呼び出すにあたっては、図７の画面／操作遷移図に示すように、複数の階層の画面表示（Ｓ101、Ｓ102、Ｓ103、Ｓ104、Ｓ105）が必要となり、操作の利便性が低下していた。
【０００６】
本発明は、この難点を解消するためになされたもので、複数の機能を実行するにあたり必要とされる操作の利便性を向上させた集合住宅インターホンシステムを提供することを目的としている。
【課題を解決するための手段】
【０００７】
前述の目的を達成するため、本発明の第１の態様である集合住宅インターホンシステムは、集合住宅のエントランスに設置されるカメラを備えた集合玄関機と、集合住宅の各住戸内にそれぞれ設置され集合玄関機からの呼び出しに応答して通話を成立させるためのモニタを備えた居室親機と、集合玄関機および居室親機をそれぞれ制御して複数の機能を実行するための制御機とを設けたものである。居室親機は、複数の機能に対応した選択項目をモニタに表示するためのメモリと、集合玄関機からの呼び出しに応答するための応答操作、メモリに録画された映像を読み出してモニタに表示させるための出画操作等の各種操作を行う複数の操作ボタンで構成される操作部と、操作部の操作を検出し、モニタおよびメモリをそれぞれ制御して複数の操作ボタン毎に割り当てられる選択項目をショートカットでメモリにボタン登録するための制御部とを備えたものである。
【０００８】
また、本発明の第２の態様である集合住宅インターホンシステムは、集合住宅のエントランスに設置されるカメラを備えた集合玄関機と、集合住宅の各住戸内にそれぞれ設置され集合玄関機からの呼び出しに応答して通話を成立させるためのモニタを備えた居室親機と、集合玄関機および居室親機をそれぞれ制御して複数の機能を実行するための制御機とを設けたものである。居室親機は、複数の機能に対応した選択項目をモニタに表示するためのメモリと、集合玄関機からの呼び出しに応答するための応答操作、メモリに録画された映像を読み出してモニタに表示させるための出画操作等の各種操作を行う複数の操作ボタンで構成される操作部と、操作部の操作を検出し、モニタおよびメモリをそれぞれ制御して複数の操作ボタン毎に割り当てられる操作情報の使用頻度を検出してショートカットでメモリにボタン登録するための制御部とを備えたものである。
【発明の効果】
【０００９】
本発明のインターホン装置によれば、居室親機の操作部が有する複数の操作ボタン毎に割り当てられる選択項目をショートカットでメモリにボタン登録、或いは、複数の操作ボタン毎に割り当てられる操作情報の使用頻度を検出してショートカットでメモリにボタン登録することができるため、複数の機能を実行するにあたり必要とされる操作の利便性が向上する。
【発明を実施するための最良の形態】
【００１０】
以下、本発明の集合住宅インターホンシステムを適用した最良の実施の形態例について、図面を参照して説明する。
【００１１】
図１は、本発明の実施例による集合住宅インターホンシステムの全体構成を示すシステム説明図である。
【００１２】
図１に示す集合住宅インターホンシステムには、マンション等の集合住宅に設置される当該システムであり、集合住宅のエントランスに設置される集合玄関機１と、集合住宅（の複数の住戸）の各住戸内にそれぞれ設置され個別のＩＤ、例えば、居室番号が割り当てられた（複数の）居室親機２ａ、２ｂ、・・・と、集合住宅の管理室内に設置される管理室親機３と、玄関ラインＬ1を経由して接続された集合玄関機１、居室ラインＬ2を経由して接続、例えば、バス接続された居室親機２ａ、２ｂ、・・・および管理室ラインＬ3を経由して接続された管理室親機３をそれぞれ制御するための制御機４とが設けられている。
【００１３】
集合玄関機１には、操作部（以下、玄関操作部という。）１００、カメラ１０１、マイク（以下、玄関マイクという。）１０２、スピーカ（以下、玄関スピーカという。）１０３が備えられている。
【００１４】
この集合玄関機１において、玄関操作部１００は、集合住宅のエントランスに居る人物、例えば、来訪者が特定の住戸内に在室中の居住者を呼び出すための所定の呼出操作や管理室内に在室中の管理人を呼び出すための所定の呼出操作を行うものである。この玄関操作部１００としては、例えば、テンキーボタン、呼出ボタン、管理室呼出ボタン等の各種の操作ボタンが好適とされる。
【００１５】
集合玄関機１のカメラ１０１は、来訪者の映像や集合住宅のエントランスの周囲近傍の映像（監視映像を含む。）を撮像するためのものである。このカメラ１０１としては、例えば、ＣＣＤ（Charge Coupled Devices）、ＣＭＯＳ（Complementary Metal Oxide Semiconductor）等の各種の撮像素子が好適とされる。
【００１６】
集合玄関機１の玄関マイク１０２および玄関スピーカ１０３は、来訪者が呼出先の居住者または管理人との間で通話を成立させるにあたり、通話音声（送話音声、受話音声）を入出力するためのものである。
【００１７】
なお、集合玄関機１には、玄関操作部１００の操作情報等を表示するためのモニタ（図示せず。）を設けることもできる。このモニタを設けるにあたっては、玄関操作部１００として、当該タッチパネルの前面に配置されるタッチパネルを用いることも好適とされる。
【００１８】
また、居室親機２ａ、２ｂ、・・・はそれぞれ同様な構成であり、モニタ（以下、居室モニタという。）２００、スピーカ（以下、居室スピーカという。）２０１、マイク（以下、居室マイクという。）２０２、操作部（以下、居室操作部という。）２０３、メモリ２０４が備えられている。
【００１９】
この居室親機２ａ、２ｂ、・・・において、居室モニタ２００は、来訪者または管理人からの呼び出し（一斉放送を含む。）がある旨の文字メッセージや絵データ等を表示するとともに、集合玄関機１のカメラ１０１にて撮像された映像およびメモリ２０４に録画された映像を出画し、さらには、後述する複数の機能に対応した選択項目を表示するためのものである。この居室モニタ２００としては、例えば、ＬＣＤ（Liquid Crystal Display）、有機ＥＬ（Electro Luminescence）ディスプレイ等の各種のディスプレイが好適とされる。
【００２０】
居室親機２ａ、２ｂ、・・・の居室スピーカ２０１は、来訪者または管理人からの呼び出し（一斉放送を含む。）がある旨の呼出音や音声メッセージ等を放音するとともに、居住者が呼出元の来訪者または管理人、呼出先の管理人との間で通話を成立させるにあたり、通話音声（受話音声）を出力するためのものである。
【００２１】
居室親機２ａ、２ｂ、・・・の居室マイク２０２は、居住者が呼出元の来訪者または管理人、呼出先の管理人との間で通話を成立させるにあたり、通話音声（送話音声）を入力するためのものである。
【００２２】
居室親機２ａ、２ｂ、・・・の居室操作部２０３は、居住者が来訪者または管理人からの呼び出し（一斉放送を含む。）に応答して通話を成立させるために所定の応答操作を行うとともに、管理人を呼び出すために所定の呼出操作を行い、さらには、メモリ２０４に録画された映像（映像信号）を読み出して居室モニタ２００に出画させるために所定の出画操作を行うような各種操作を実行するに必要とされる複数の操作ボタンで構成されるものである。この居室操作部２０３としては、複数の操作ボタンが居室モニタ２００の前面に表示される例えば、タッチパネルや通話（応答）ボタンが好適とされる。
【００２３】
居室親機２ａ、２ｂ、・・・のメモリ２０４は、自居室親機に割り当てられた居室番号が予め記憶されているとともに、集合玄関機１のカメラ１０１にて撮像された映像を録画し、さらには、居室操作部２０３が有する複数の操作ボタン毎に割り当てられる選択項目をショートカットでボタン登録、或いは、複数の操作ボタン毎に割り当てられる操作情報の使用頻度を検出してショートカットでボタン登録するためのものである。また、メモリ２０４には、居室モニタ２００に表示させる文字メッセージや絵データ等が予め記憶されている。このメモリ２０４としては、例えば、ＲＡＭ（Random Access Memory）、ＥＥＰＲＯＭ（Electrically Erasable Programmable Read Only Memory）等の各種の記憶媒体が好適とされる。
【００２４】
なお、居室親機２ａ、２ｂ、・・・には、居住者による通話手段として、前述の居室マイク２０２および居室スピーカ２０１を使用した拡声による通話手段のみならず、送受話器（図示せず。）を使用したハンドセット通話も好適とされる。
【００２５】
さらに、管理室親機３には、モニタ（以下、管理室モニタという。）３００、スピーカ（以下、管理室スピーカという。）３０１、マイク（以下、管理室マイクという。）３０２、送受話器３０３、操作部（以下、管理室操作部という。）３０４が備えられている。
【００２６】
この管理室親機３において、管理室モニタ３００は、来訪者または居住者からの呼び出しがある旨の文字メッセージや絵データ等を表示するとともに、集合玄関機１のカメラ１０１にて撮像された映像を出画するためのものである。また、管理室モニタ３００としては、例えば、ＬＣＤ、有機ＥＬディスプレイ等の各種のディスプレイが好適とされる。
【００２７】
管理室親機３の管理室スピーカ３０１は、来訪者または居住者からの呼び出しがある旨の呼出音や音声メッセージ等を放音するとともに、管理人が呼出元の来訪者または居住者、呼出先の居住者との間で通話を成立させるにあたり、通話音声（受話音声）を出力するためのものである。
【００２８】
管理室親機３の管理室マイク３０２は、管理人が呼出元の来訪者または居住者、呼出先（一斉放送先）の居住者との間で通話を成立させるにあたり、通話音声（送話音声、放送音声）を入力するためのものである。
【００２９】
管理室親機３の送受話器３０３は、前述の管理室マイク３０２および管理室スピーカ３０１を使用した拡声による通話手段とは別途の通話手段として管理人が使用するものであり、マイクおよびレシーバを有している。
【００３０】
管理室親機３の管理室操作部３０４は、管理人が来訪者または居住者からの呼び出しに応答して通話を成立させるための所定の応答操作を行うとともに、居住者を呼び出す（一斉放送の）ための所定の呼出操作を行うものである。この管理室操作部３０３としては、例えば、通話ボタン、テンキーボタン、呼出ボタン、一斉放送ボタン等の各種の操作ボタンや管理室モニタ３００の前面に配置されたタッチパネル等が好適とされる。
【００３１】
図２は、本発明の実施例による集合住宅インターホンシステムにおいて、居室親機２ａ、２ｂ、・・・の具体的な構成を示すブロック図である。
【００３２】
図２に示す居室親機２ａ、２ｂ、・・・はそれぞれ同様な構成であり、前述の居室モニタ２００、居室スピーカ２０１、居室マイク２０２、居室操作部２０３およびメモリ２０４と、通話部２０５と、制御部２０６と、インターフェース部（以下、居室Ｉ／Ｆという。）２０７とが備えられている。
【００３３】
この居室親機２ａ、２ｂ、・・・において、通話部２０５は、居室スピーカ２０１から出力される通話音声（受話音声）である電気信号の音声信号を４線／２線変換や増幅するとともに、居室マイク２０２に入力される通話音声（送話音声）である電気信号の音声信号を２線／４線変換や増幅するためのものである。
【００３４】
居室親機２ａ、２ｂ、・・・の制御部２０６は、当該居室親機の構成各部／回路をそれぞれ制御するためのものである。具体的な制御としては、居室モニタ２００への動作（駆動）制御、居室モニタ２００および居室スピーカ２０１を使用した呼出報知の制御、居室操作部２０３の操作検出、メモリ２０４への書き込み制御／当該メモリからの読み出し制御、通話部２０５への動作（駆動）制御等が行われる。
【００３５】
居室親機２ａ、２ｂ、・・・の居室Ｉ／Ｆ２０７は、居室ラインＬ2から居室モニタ２００への信号伝送路、居室ラインＬ2および通話部２０５の間の信号伝送路（通話路）、居室ラインＬ2および制御部２０６の間の信号伝送路をそれぞれ形成するためのものである。
【００３６】
このように構成された本発明の実施例による集合住宅インターホンシステムにおいて、以下、具体的な動作について説明する。
【００３７】
なお、本発明の実施例において、来訪者が居住者または管理人を呼び出して通話を成立させる動作と、管理人が居住者を呼び出して（一斉放送を含む。）通話を成立させる動作とは、集合住宅に関わるインターホンの呼出／通話が開示されている各種の特許文献等において周知の動作技術であるため、説明は省略するものとする。
【００３８】
本発明の実施例による第１の動作として、居室親機２ａ、２ｂ、・・・のうち、ここでは、居室親機２ａのメモリ２０４に、管理室親機３を呼び出すために必要な操作ボタンに割り当てられる選択項目をショートカットでボタン登録する動作について、図１のシステム説明図、図２のブロック図、図３の画面／操作遷移図および図６のフローチャート図をそれぞれ参照して説明する。
【００３９】
なお、図３の画面／操作遷移図は、管理室親機３を呼び出すために必要な操作ボタンに割り当てられる選択項目をショートカットで居室親機２ａのメモリ２０４にボタン登録する動作の画面／操作遷移図であり、図６のフローチャート図は、その動作の遷移の説明図である。
【００４０】
図１および図２にそれぞれ示す居室親機２ａの設置された住戸内に在室中の居住者が、図３に示す待受画面Ｓ1が出画されている居室モニタ２００の前面に設けられた居室操作部２０３をタッチ操作すると、このタッチ操作を検出した制御部２０６により居室モニタ２００およびメモリ２０４がそれぞれ制御され、居室モニタ２００の画面は、待受画面Ｓ1からメモリ２０４より読み出されたショートカットメニュー画面Ｓ2に切り替わる。このショートカットメニュー画面Ｓ2には、表示の一態様として、例えば、「メインメニュー」、「画面ＯＦＦ」の２つの選択項目が所定の画面位置に表示されている。
【００４１】
また、ショートカットメニュー画面Ｓ2が出画されている居室親機２ａの居室モニタ２００の前面に設けられた居室操作部２０３を使用して、「メインメニュー」が表示されている画面位置を居住者がタッチ操作すると、このタッチ操作を検出した制御部２０６により居室モニタ２００およびメモリ２０４がそれぞれ制御され、居室モニタ２００の画面は、ショートカットメニュー画面Ｓ2からメモリ２０４より読み出されたメインメニュー画面Ｓ3に切り替わる。このメインメニュー画面Ｓ3には、表示の一態様として、例えば、「インターホン」、「セキュリティ」、「各種設定」、「再生」、「画面ＯＦＦ」の５つの選択項目が所定の画面位置に表示されている。
【００４２】
また、メインメニュー画面Ｓ3が出画されている居室親機２ａの居室モニタ２００の前面に設けられた居室操作部２０３を使用して、「各種設定」が表示されている画面位置を居住者がタッチ操作すると、このタッチ操作を検出した制御部２０６により居室モニタ２００およびメモリ２０４がそれぞれ制御され、居室モニタ２００の画面は、メインメニュー画面Ｓ3からメモリ２０４より読み出された各種設定メニュー画面Ｓ4に切り替わる。この各種設定メニュー画面Ｓ4には、表示の一態様として、例えば、「音設定」、「防犯設定」、「時計設定」、「ボタン登録」、「戻る」の５つの選択項目が所定の画面位置に表示されている。
【００４３】
また、各種設定メニュー画面Ｓ4が出画されている居室親機２ａの居室モニタ２００の前面に設けられた居室操作部２０３を使用して、「ボタン登録」が表示されている画面位置を居住者がタッチ操作すると、このタッチ操作を検出した制御部２０６により居室モニタ２００およびメモリ２０４がそれぞれ制御され、居室モニタ２００の画面は、各種設定メニュー画面Ｓ4からメモリ２０４より読み出されたボタン登録メニュー画面Ｓ5に切り替わる。このボタン登録メニュー画面Ｓ5には、表示の一態様として、例えば、「自動登録」、「手動登録」、「自動登録解除」、「戻る」の４つの選択項目が所定の画面位置に表示されている。
【００４４】
また、ボタン登録メニュー画面Ｓ5が出画されている居室親機２ａの居室モニタ２００の前面に設けられた居室操作部２０３を使用して、「手動登録」が表示されている画面位置を居住者がタッチ操作すると（ステップＳＴ1、ＳＴ2）、このタッチ操作を検出した制御部２０６により居室モニタ２００およびメモリ２０４がそれぞれ制御され、居室モニタ２００の画面は、ボタン登録メニュー画面Ｓ5からメモリ２０４より読み出された手動登録メインメニュー画面Ｓ6に切り替わる。この手動登録メインメニュー画面Ｓ6には、表示の一態様として、例えば、「インターホン」、「セキュリティ」、「各種設定」、「再生」、「戻る」の５つの選択項目が所定の画面位置に表示されている。
【００４５】
また、手動登録メインメニュー画面Ｓ6が出画されている居室親機２ａの居室モニタ２００の前面に設けられた居室操作部２０３を使用して、「インターホン」が表示されている画面位置を居住者がタッチ操作すると（ステップＳＴ3）、このタッチ操作を検出した制御部２０６により居室モニタ２００およびメモリ２０４がそれぞれ制御され、居室モニタ２００の画面は、手動登録メインメニュー画面Ｓ6からメモリ２０４より読み出されたインターホン登録メニュー画面Ｓ7に切り替わる。このインターホン登録メニュー画面Ｓ７には、表示の一態様として、例えば、「呼出」、「エレベータ」、「共用部カメラ」、「玄関モニタ」、「登録」、「解除」、「戻る」の７つの選択項目が所定の画面位置に表示されている。
【００４６】
また、インターホン登録メニュー画面Ｓ7が出画されている居室親機２ａの居室モニタ２００の前面に設けられた居室操作部２０３を使用して、「呼出」が表示されている画面位置を居住者がタッチ操作すると（ステップＳＴ3）、このタッチ操作を検出した制御部２０６により居室モニタ２００およびメモリ２０４がそれぞれ制御され、居室モニタ２００の画面は、インターホンメニュー登録メニュー画面Ｓ7からメモリ２０４より読み出された呼出先選択登録画面Ｓ8に切り替わる。この呼出先選択登録画面Ｓ8には、表示の一態様として、例えば、「集合玄関」、「管理室」、「住戸内」、「登録」、「解除」、「戻る」の６つの選択項目が所定の画面位置に表示されている。
【００４７】
さらに、呼出先選択登録画面Ｓ8が出画されている居室親機２ａの居室モニタ２００の前面に設けられた居室操作部２０３を使用して、「管理室」が表示されている画面位置を居住者がタッチ操作した後（ステップＳＴ3）、「登録」が表示されている画面位置をタッチ操作すると（ステップＳＴ4）、これらのタッチ操作を検出した制御部２０６の制御により、管理室親機３を呼び出すために必要な操作ボタンに割り当てられる選択項目をショートカットでメモリ２０４にボタン登録することができるとともに、居室モニタ２００の画面は、呼出先選択登録画面Ｓ8からショートカットメニュー画面Ｓ9に切り替わり、このショートカットメニュー画面Ｓ9もメモリ２０４に記憶される（ステップＳＴ5、ＳＴ14）。また、ショートカットメニュー画面Ｓ9には、表示の一態様として、例えば、「インターホン：管理室」、「メインメニュー」、「画面ＯＦＦ」の３つの選択項目が所定の画面位置に表示されている。
【００４８】
なお、手動登録メニュー画面Ｓ6が出画されている居室親機２ａの居室モニタ２００の前面に設けられた居室操作部２０３を使用して、「インターホン」が表示されている画面位置を居住者がタッチ操作しなかった場合、これを検出した制御部２０６は、居室モニタ２００の画面を手動登録メニュー画面Ｓ6のまま保持して（所定の時間内）待機状態となる（ステップＳＴ3）。
【００４９】
また、インターホン登録メニュー画面Ｓ7が出画されている居室親機２ａの居室モニタ２００の前面に設けられた居室操作部２０３を使用して、「呼出」が表示されている画面位置を居住者がタッチ操作しなかった場合、これを検出した制御部２０６は、居室モニタ２００の画面をインターホン登録メニュー画面Ｓ7のまま保持して（所定の時間内）待機状態となる（ステップＳＴ3）。
【００５０】
また、呼出先選択登録画面Ｓ8が出画されている居室親機２ａの居室モニタ２００の前面に設けられた居室操作部２０３を使用して、「管理室」が表示されている画面位置を居住者がタッチ操作しなかった場合、これを検出した制御部２０６は、居室モニタ２００の画面を呼出先選択登録画面Ｓ8のまま保持して（所定の時間内）待機状態となる（ステップＳＴ3）。
【００５１】
また、呼出先選択登録画面Ｓ8が出画されている居室親機２ａの居室モニタ２００の前面に設けられた居室操作部２０３を使用して、「管理室」が表示されている画面位置を居住者がタッチ操作したのにも拘わらず、「登録」が表示されている画面位置をタッチ操作せず（ステップＳＴ4）、さらには、「解除」が表示されている画面位置をタッチ操作すると（ステップＳＴ6）、このタッチ操作を検出した制御部２０６の制御により、管理室親機３を呼び出すために必要な操作ボタンに割り当てられる選択項目をショートカットでメモリ２０４にボタン登録する動作が解除される（ステップＳＴ7、ＳＴ14）。
【００５２】
さらに、呼出先選択登録画面Ｓ8が出画されている居室親機２ａの居室モニタ２００の前面に設けられた居室操作部２０３を使用して、「管理室」が表示されている画面位置を居住者がタッチ操作したのにも拘わらず、「登録」、「解除」がそれぞれ表示されている画面位置を居住者が何れもタッチ操作しなかった場合（ステップＳＴ4、ＳＴ6）、これを検出した制御部２０６は、居室モニタ２００およびメモリ２０４をそれぞれ制御し、居室モニタ２００の画面を呼出先選択登録画面Ｓ8から手動登録メインメニュー画面Ｓ6に切り替えて（所定の時間内）待機状態となる。
【００５３】
次に、本発明の実施例による第２の動作として、居室親機２ａ、２ｂ、・・・の居室モニタ２００およびメモリ２０４をそれぞれ制御して、居室操作部２０３を構成する複数の操作ボタン毎に割り当てられる操作情報の使用頻度を検出してショートカットでメモリ２０４にボタン登録する動作について、図１のシステム説明図、図２のブロック図、図４の画面／操作遷移図および図６のフローチャート図をそれぞれ参照して説明する。
【００５４】
なお、図４の画面／操作遷移図は、居室親機２ａ、２ｂ、・・・の居室操作部２０３を構成する複数の操作ボタン毎に割り当てられる操作情報の使用頻度を検出してショートカットでメモリ２０４にボタン登録する動作の説明図であり、図６のフローチャート図は、その動作の遷移の説明図である。
【００５５】
図１および図２にそれぞれ示す居室親機２ａ、２ｂ、・・・のうち、ここでは、居室親機２ａの設置された住戸内に在室中の居住者が、図４に示す待受画面Ｓ1が出画されている居室親機２ａの居室モニタ２００の前面に設けられた居室操作部２０３をタッチ操作すると、このタッチ操作を検出した制御部２０６により居室モニタ２００およびメモリ２０４がそれぞれ制御され、居室モニタ２００の画面は、待受画面Ｓ1からメモリ２０４より読み出された前述のショートカットメニュー画面Ｓ2に切り替わる。
【００５６】
また、ショートカットメニュー画面Ｓ2が出画されている居室親機２ａの居室モニタ２００の前面に設けられた居室操作部２０３を使用して、「メインメニュー」が表示されている画面位置を居住者がタッチ操作すると、このタッチ操作を検出した制御部２０６により居室モニタ２００およびメモリ２０４がそれぞれ制御され、居室モニタ２００の画面は、ショートカットメニュー画面Ｓ2からメモリ２０４より読み出された前述のメインメニュー画面Ｓ3に切り替わる。
【００５７】
また、メインメニュー画面Ｓ3が出画されている居室親機２ａの居室モニタ２００の前面に設けられた居室操作部２０３を使用して、「各種設定」が表示されている画面位置を居住者がタッチ操作すると、このタッチ操作を検出した制御部２０６により居室モニタ２００およびメモリ２０４がそれぞれ制御され、居室モニタ２００の画面は、メインメニュー画面Ｓ3からメモリ２０４より読み出された前述の各種設定メニュー画面Ｓ4に切り替わる。
【００５８】
また、各種設定メニュー画面Ｓ4が出画されている居室親機２ａの居室モニタ２００の前面に設けられた居室操作部２０３を使用して、「ボタン登録」が表示されている画面位置を居住者がタッチ操作すると（ステップＳＴ1）、このタッチ操作を検出した制御部２０６により居室モニタ２００およびメモリ２０４がそれぞれ制御され、居室モニタ２００の画面は、各種設定メニュー画面Ｓ4からメモリ２０４より読み出された前述のボタン登録メニュー画面Ｓ5に切り替わる。
【００５９】
さらに、ボタン登録メニュー画面Ｓ5が出画されている居室親機２ａの居室モニタ２００の前面に設けられた居室操作部２０３を使用して、「自動登録」が表示されている画面位置を居住者がタッチ操作すると（ステップＳＴ2、ＳＴ8）、このタッチ操作を検出した制御部２０６は、居室操作部２０３にてタッチ操作が行われる度に、当該タッチ操作された操作ボタンの使用頻度を計算し、計算された使用頻度に応じた操作情報をメモリ２０４に登録することができるとともに、居室モニタ２００の画面は、ボタン登録メニュー画面Ｓ5から例えば、前述のショートカットメニュー画面Ｓ8またはショートカットメニュー画面Ｓ11に切り替わり、このショートカットメニュー画面Ｓ8、Ｓ11もメモリ２０４に記憶される（ステップＳＴ9、ＳＴ10、ＳＴ11、ＳＴ14）。
【００６０】
なお、ボタン登録メニュー画面Ｓ5が出画されている居室親機２ａの居室モニタ２００の前面に設けられた居室操作部２０３を使用して、「自動登録」が表示されている画面位置を居住者がタッチ操作せずに、「自動登録解除」が表示されている画面位置をタッチ操作すると（ステップＳＴ8、ＳＴ12）、このタッチ操作を検出した制御部２０６の制御により、居室操作部２０３を構成する複数の操作ボタン毎に割り当てられる操作情報の使用頻度を検出してショートカットでメモリ２０４にボタン登録する動作が解除される（ステップＳＴ13、ＳＴ14）。
【００６１】
また、ボタン登録メニュー画面Ｓ5が出画されている居室親機２ａの居室モニタ２００の前面に設けられた居室操作部２０３を使用して、「自動登録」が表示されている画面位置を居住者がタッチ操作せず、さらには、「自動登録解除」が表示されている画面位置をタッチ操作しなかった場合、これを検出した制御部２０６は、居室モニタ２００の画面をボタン登録メニュー画面Ｓ5のまま保持して（所定の時間内）待機状態となる（ステップＳＴ8、ＳＴ12）。
【００６２】
次に、管理室親機３を呼び出すために必要な操作ボタン「インターホン：管理室」に割り当てられる選択項目と、居室親機２ａのメモリ２０４に録画された映像（映像信号）を読み出して居室モニタ２００に出画させるために必要な操作ボタン「再生：録画再生」に割り当てられる選択項目とが、それぞれショートカットでメモリ２０４に予めボタン登録されている場合において、本発明の実施例による第３の動作として、居室親機２ａの設置された住戸内に在室中の居住者が管理室親機３を呼び出す、すなわち、管理人を呼び出す動作について、図１のシステム説明図、図２のブロック図および図５の画面／操作遷移図をそれぞれ参照して説明する。
【００６３】
なお、図５の画面／操作遷移図は、管理室親機３を呼び出す動作を実行するに必要な操作の説明図である。
【００６４】
図１および図２に示す居室親機２ａの設置された住戸内に在室中の居住者が、管理室親機３を呼び出すにあたり、図５に示す待受画面Ｓ1が出画されている居室モニタ２００の前面に設けられた居室操作部２０３をタッチ操作すると、このタッチ操作を検出した制御部２０６により居室モニタ２００およびメモリ２０４がそれぞれ制御され、居室モニタ２００の画面は、待受画面Ｓ1からメモリ２０４より読み出されたショートカットメニュー画面Ｓ10に切り替わる。また、ショートカットメニュー画面Ｓ10には、表示の一態様として、例えば、「インターホン：管理室」、「再生：録画再生」、「メインメニュー」、「画面ＯＦＦ」の４つの選択項目が所定の画面位置に表示されている。
【００６５】
また、ショートカットメニュー画面Ｓ10が出画されている居室親機２ａの居室モニタ２００の前面に設けられた居室操作部２０３を使用して、「インターホン：管理室」が表示されている画面位置を居住者がタッチ操作すると、このタッチ操作を検出した制御部２０６の制御により居室モニタ２００およびメモリ２０４がそれぞれ制御され、居室モニタ２００の画面は、ショートカットメニュー画面Ｓ10からメモリ２０４より読み出された管理室呼出画面Ｓ11に切り替わるとともに、管理室親機３を呼び出すための呼出信号が生成される。この呼出信号は、制御部２０６から居室Ｉ／Ｆ２０８、居室ラインＬ2、制御機４、管理室ラインＬ3を経由して管理室親機３に伝送され、当該管理室親機にて所定の呼出報知が行われることから、図７の画面／操作遷移図に示す従来例の動作と比較して、管理室親機３を呼び出すにあたり必要な操作の利便性が向上される。
【００６６】
さらに、居室親機２ａからの呼び出しを確認した管理人が、管理室親機３の管理室操作部３０３を使用して所定の応答操作を行うと、この応答操作を検出した当該管理室親機の制御機能（詳述せず。）および居室親機２ａの制御部２０６の制御により、管理人が使用する管理マイク３０２および管理スピーカ３０１と、管理室ラインＬ3、制御機４、居室ラインＬ2、居室親機２ａの居室Ｉ／Ｆ２０７、通話部２０５を経由して居住者が使用する居室マイク２０２および居室スピーカ２０１と間の通話路が形成され、形成された通話路を経由して音声信号を送受信させることで通話が成立する。
【００６７】
なお、本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【図面の簡単な説明】
【００６８】
【図１】本発明の実施例による集合住宅インターホンシステムの全体構成を示すシステム説明図。
【図２】本発明の実施例による集合住宅インターホンシステムにおいて、居室親機の具体的な構成を示すブロック図。
【図３】本発明の実施例による集合住宅インターホンシステムにおける第１の動作として、管理室（管理室親機）を呼び出すために必要な操作ボタンに割り当てられる選択項目をショートカットで居室親機のメモリにボタン登録する動作の画面／操作遷移図。
【図４】本発明の実施例による集合住宅インターホンシステムにおける第２の動作として、居室親機の操作部を構成する複数の操作ボタン毎に割り当てられる操作情報の使用頻度を検出してショートカットでメモリにボタン登録する動作の画面／操作遷移図。
【図５】本発明の実施例による集合住宅インターホンシステムにおける第３の動作として、管理室（管理室親機）を呼び出す動作を実行するために必要な操作の画面／操作遷移図。
【図６】本発明の実施例による集合住宅インターホンシステムにおける第１、第２の各動作の遷移を説明するためのフローチャート図。
【図７】従来例における動作として、管理室（管理室親機）を呼び出すために必要な操作の画面／操作遷移図。
【符号の説明】
【００６９】
１……集合玄関機
１０１……カメラ
２ａ、２ｂ、・・・ ……居室親機
２００……居室モニタ（モニタ）
２０３……居室操作部（操作部）
２０４……メモリ
２０６……制御部
４……制御機
【図１】
2007267320.tif 000003
【図２】
2007267320.tif 000004
【図３】
2007267320.tif 000005
【図４】
2007267320.tif 000006
【図５】
2007267320.tif 000007
【図６】
2007267320.tif 000008
【図７】
2007267320.tif 000009